(57)【要約】【課題】  エスカレータを停止することなく、また乗客の利用を妨げることなく踏段のクリート面のゴミを吸い取って清掃でき、しかも清掃具の消耗を少なくすることのできるエスカレータの踏段清掃装置を提供すること。【解決手段】  無端状に連結されて循環走行する複数個の踏段２の反転部に、踏段２のクリート２ｃ面に対して接離自在に吸い込み口５を設ける。この吸い込み口５を踏段２のクリート２ｃ面に対して接離する方向に移動させるモータ１１をフレーム１０に設けるとともに、吸い込み口５にノズル６、パイプ７および可撓性ホース８を介して掃除機本体９を接続する。この掃除機本体９およびモータ１０を制御する制御装置１２を設け、この制御装置１２により、常時は、吸い込み口５を踏段２のクリート２ｃ面に対して非接触の状態に位置させ、踏段２の清掃時に、エスカレータの運転を継続しながらモータ１１を介して吸い込み口５を踏段２のクリート２ｃ面に移動させるとともに掃除機本体９を駆動して踏段２のクリート２ｃ面上のゴミを吸い取るように制御する。【選択図】  図１
2005138925.tif 000002
【特許請求の範囲】
【請求項１】
無端状に連結されて循環走行する複数個の踏段を有するエスカレータにおいて、前記複数個の踏段の反転部に設けられ、前記踏段のクリート面に対して接離自在に配設された吸い込み口と、この吸い込み口を前記踏段のクリート面に対して接離する方向に移動させる駆動手段と、前記吸い込み口に可撓性ホースを介して連結された掃除機本体と、この掃除機本体および前記駆動手段を制御する制御装置とを備えたことを特徴とするエスカレータの踏段清掃装置。
【請求項２】
前記制御装置は、前記吸い込み口を、常時は前記踏段のクリート面に対して非接触の状態に位置させ、前記踏段の清掃時に、エスカレータの運転を継続しながら前記駆動手段を介して前記吸い込み口を前記踏段のクリート面に移動させるとともに前記掃除機本体を駆動して前記踏段のクリート面上のゴミを吸い取るように制御することを特徴とする請求項１に記載のエスカレータの踏段清掃装置。
【発明の詳細な説明】
【技術分野】
【０００１】
本発明は、エスカレータの踏段清掃装置に関するものである。
【背景技術】
【０００２】
一般にエスカレータは、複数個の踏段が無端状に連結され、各踏段が上下の階床に設けられた一方の乗降口と他方の乗降口の間を循環走行するようになっている。これらの踏段の上面には、それぞれ多数のクリート溝が形成されており、踏段の走行中に乗客の靴等に付着した泥、砂、塵埃等（以下ゴミという）がクリート面に付着して汚すために、踏段の清掃が行なわれる。
【０００３】
踏段の清掃として、踏段のクリート面にブラシ清掃具を取付け、ブラシ清掃具をクリート面に形成されたクリート溝に接触させてクリート溝に付着しているゴミを掻き出して除去する技術が提案されている。このブラシ清掃具による清掃は、エスカレータの運転を一旦停止して別途用意したブラシ清掃具を踏段のクリート面上に設置し、その後エスカレータを再運転し、その際の踏段の移動を利用してブラシ清掃具により踏段のクリート溝内のゴミを除去するものである。またエスカレータの機械室内にブラシ清掃具を設けて常時踏段のクリート面に接触させてクリート溝内のゴミを除去するものも考えられている。
【０００４】
前者の場合は、エスカレータを一旦停止したり、清掃中はエスカレータが運転されているにもかかわらず乗客が利用できないという問題がある。後者の場合は、ブラシ清掃具が常時踏段のクリート面に接触しているため、ブラシ清掃具の消耗が激しくなり、ブラシ清掃具の交換を頻繁に行なう必要があるほか、ブラシ清掃具によって掻き出されたゴミが機械室内で飛散し、機械室内の機器に付着して故障を発生させる原因になるおそれがある。
【０００５】
一方、踏段のクリート面に吸い込み清掃具を設けてクリート溝から掻き出したゴミを吸い取る技術も提案されている。
【特許文献１】特開平７−２７７６６２号公報
【特許文献２】特開平１０−２２６４８３号公報
【発明の開示】
【発明が解決しようとする課題】
【０００６】
吸い込み清掃具を使用して踏段のクリート溝内のゴミを吸い取れば、清掃作業中にゴミが飛散するのを防止することができる。しかしながら、この技術の場合も、吸い込み清掃具は、エスカレータを一旦停止して踏段のクリート面上に配設するものであり、清掃中はエスカレータが運転されていても乗客が利用できないという事情は変わらなかった。
【０００７】
そこで、本発明は、エスカレータを停止することなく、また乗客の利用を妨げることなく踏段のクリート面のゴミを吸い取って清掃でき、しかも清掃具の消耗を少なくすることのできるエスカレータの踏段清掃装置を提供することを目的とする。
【課題を解決するための手段】
【０００８】
上記の課題を解決するため、本発明によるエスカレータの踏段清掃装置は、無端状に連結されて循環走行する複数個の踏段の反転部に、踏段のクリート面に対して接離自在に吸い込み口を設けるとともに、この吸い込み口を踏段のクリート面に対して接離する方向に移動させる駆動手段と、吸い込み口に可撓性ホースを介して連結された掃除機本体と、この掃除機本体および駆動手段を制御する制御装置とを更に設け、制御装置により、常時は、吸い込み口を踏段のクリート面に対して非接触の状態に位置させ、踏段の清掃時に、エスカレータの運転を継続しながら駆動手段を介して吸い込み口を踏段のクリート面に移動させるとともに掃除機本体を駆動して踏段のクリート面上のゴミを吸い取るように制御するものである。
【発明の効果】
【０００９】
本発明によれば、吸い込み口は、常時は踏段のクリート面に対して非接触の状態に位置しているので、吸い込み口に設けられるブラシ等の清掃具の消耗を少なくすることができる。また踏段の清掃時には、エスカレータの運転を継続しながら吸い込み口を踏段のクリート面上に移動させてゴミを吸い取るので、エスカレータを停止したり、乗客の利用を妨げたりすることなく、踏段の清掃作業を行なうことができる。
【発明を実施するための最良の形態】
【００１０】
以下、本発明の実施の形態を説明する。図１は本発明の一実施の形態にかかるエスカレータの踏段清掃装置の断面図である。図１において、主枠１は上下の階床に機械室１ａが設けられ、上下の階床の間を傾斜して配設されている。この主枠１内には、複数個の踏段２が等ピッチで結合されて配設されており、図示しない駆動装置により駆動されて上下の階床の乗降口間を循環走行するようになっている。踏段２は、前輪２ａおよび後輪２ｂが取付けられており、これら前輪２ａおよび後輪２ｂを介して、主枠１内に設けられた往路ガイドレール３ａ、帰路ガイドレール３ｂおよび反転ガイドレール３ｃ等のガイドレールに案内されて走行するようになっている。図示では下階側における踏段２の反転部を示している。主枠１の幅方向の両側には図示しない一対の欄干が立設され、この欄干には、踏段２と同期走行する手すりベルトが取付けられている。またエスカレータの乗降口には乗降板４が設けられ、乗客はこの乗降板４を通って水平状態から上昇方向へ移動する踏段２に乗り込むようになっている。
【００１１】
踏段２は、上面に利用者が乗り込むことのできるクリート２ｃが設けられ、このクリート２ｃに連続するようにライザ２ｄが設けられている。これらクリート２ｃとライザ２ｄは、外表面に幅方向に沿って凹凸をなすクリート溝およびライザ溝が形成されており、隣接する踏段２のクリート２ｃとライザ２ｄの溝が噛み合って上下方向に移動できるようになっている。
【００１２】
循環走行する踏段２の反転部には、水平状態で移動する踏段２のクリート２ｃ面に接離するように真空掃除機の吸い込み口５が配設されている。この吸い込み口５は、踏段２の幅方向寸法とほぼ同じ幅寸法で構成され、また踏段２の進行方向の前後にブラシ５ａ，５ａが設けられ、このブラシ５ａ，５ａ間の幅方向中央部にノズル口５ｂが設けられている。ブラシ５ａ，５ａは、踏段２のクリート２ｃ溝内のゴミを掻き出すとともに吸い込み口５における吸い込み力を増加させる囲いとして機能している。
【００１３】
ノズル口５ｂには回転自在なノズル６が取付けられ、このノズル６からパイプ７および蛇腹ホースからなる可撓性ホース８を介して掃除機本体９に連結されている。パイプ７は直線状をなしており、フレーム１０にレール７ａを介して水平方向に移動自在に支持されている。このフレーム１０はパイプ７を水平方向に移動させ、パイプ７の先端の吸い込み口５を踏段２のクリート２ｃ面に対して接離する方向に移動させる駆動手段を備えている。すなわちフレーム１０には、モータ１１が設けられており、このモータ１１によって駆動されるラックとピニオンを介して、移動自在に支持されたパイプ７を水平方向に移動させることができるようになっている。モータ１１はエスカレータの制御装置１２に接続されており、制御装置１２により定期的に、または任意のときに駆動されると、パイプ７を介して吸い込み口５を水平方向に移動させるように制御される。吸い込み口５は、常時は踏段２のクリート２ｃ面に対して非接触の状態に位置しており、モータ１１の駆動により水平方向に移動して踏段２のクリート２ｃ面に接触するようになっている。
【００１４】
制御装置１２には掃除機本体９の電源をＯＮ、ＯＦＦするスイッチ１３が接続されており、吸い込み口５の動作に合わせて掃除機本体９の電源がＯＮ、ＯＦＦ制御されるようになっている。
【００１５】
したがって、吸い込み口５は、常時は踏段２のクリート２ｃ面に対して非接触の状態に位置しているので、吸い込み口５に設けられるブラシ５ａ等の清掃具の消耗を少なくすることができる。また定期的に、または任意のときに踏段２を清掃する際には、エスカレータがダウン運転あるいはアップ運転のいずれの場合であってもその運転を継続しながら、制御装置１２により駆動手段を介して吸い込み口５を移動させ、かつ掃除機本体９を駆動して踏段２のクリート２ｃ面上に移動させた吸い込み口５からゴミを吸い取り、パイプ７および可撓性パイプ８を介して掃除機本体９に取り込むことができるので、エスカレータを停止したり、乗客の利用を妨げたりすることなく、しかもゴミを飛散させるようなことなく、踏段２の清掃作業を行なうことができる。
【００１６】
なお、上記実施の形態では、踏段２のクリート２ｃ面が水平状態にあるときに吸い込み口５を水平方向に移動させる場合について説明したが、踏段２のクリート２ｃ面が傾斜した状態あるいは垂直の状態にあるときに吸い込み口５を踏段２のクリート２ｃ面に対して接離する方向に移動させるようにすることもできる。
【００１７】
また吸い込み口５を移動させる手段としては、モータとラック、ピニオンの組合せに限らず、電磁石や電磁ソレノイド、バネや歯車を利用してシーソー式や回転式で構成することもできる。
【図面の簡単な説明】
【００１８】
【図１】本発明の一実施の形態にかかるエスカレータの踏段清掃装置を示す断面図である。
【符号の説明】
【００１９】
１…主枠
２…踏段
２ａ…前輪
２ｂ…後輪
２ｃ…クリート
２ｄ…ライザ
３ａ…往路ガイドレール
３ｂ…帰路ガイドレール
３ｃ…反転ガイドレール
４…乗降板
５…吸い込み口
５ａ…ブラシ
５ｂ…ノズル口
６…ノズル
７…パイプ
７ａ…レール
８…可撓性ホース
９…掃除機本体
１０…フレーム
１１…モータ（駆動手段）
１２…制御装置
１３…スイッチ
【図１】
2005138925.tif 000003